(57)【要約】【課題】  従来の電子機器における２層基板構造よりも実装面積の拡大を図ることが出来る基板構造を提供する。【解決手段】  本発明に係る基板構造において、回路基板は、互いに離間した複数の基板部61、62、63とこれらの基板部を互いに連結する１或いは複数のフレキシブルリード部とを具えた複合基板６によって構成され、フレキシブルリード部を折り曲げることによって２つの基板部61、62が互いに９０度の角度を為して配置されている。【選択図】      図１７
2005244062.tif 000002
【特許請求の範囲】
【請求項１】
キャビネットの内部に回路基板を配備してなる電子機器において、前記回路基板は、互いに離間した複数の基板部とこれらの基板部を互いに連結する１或いは複数のフレキシブルリード部とを具えた複合基板によって構成され、前記フレキシブルリード部を折り曲げることによって少なくとも２つの基板部が互いに９０度若しくは略９０度の角度を為して配置されていることを特徴とする電子機器の基板構造。
【請求項２】
キャビネットの内部には、少なくとも１つの部品を搭載したホルダーが設置され、前記複合基板を構成する複数の基板部の内、少なくとも前記２つの基板部は、前記ホルダーの互いに直交する２つの壁面に添設されている請求項１に記載の基板構造。
【請求項３】
前記１つの部品はカメラであって、該カメラの光軸方向に対して垂直に１或いは複数の基板部が設置されると共に、該カメラの光軸と平行に１或いは複数の基板部が設置されている請求項２に記載の基板構造。
【請求項４】
前記カメラには、通常撮影モードと接写モードの切り替えのためのレバーが突設され、前記ホルダーには、スライド部材が摺動可能に取り付けられて、該スライド部材の一端が前記レバーに係合し、該スライド部材の他端は、キャビネットにスライド操作可能に取り付けられたスライド操作片に連繋している請求項３に記載の基板構造。
【発明の詳細な説明】
【技術分野】
【０００１】
本発明は、携帯電話機等の電子機器に内装されている回路基板の組立構造に関するものである。
【背景技術】
【０００２】
携帯電話機においては、小型化や薄型化が進むと共に多機能化が進んでおり、これに伴ってキャビネットに内蔵すべき部品の点数が益々増加している。又、カメラを搭載した携帯電話機においては、カメラの画素数が飛躍的に増大しており、これに伴ってカメラが大型化している。
【０００３】
この様な状況において、携帯電話機のキャビネットの内部に必要な電子部品を如何にコンパクトに配置するかが課題となっている。
そこで、従来の携帯電話機においては、扁平なキャビネットの内部に２枚の回路基板を上下に平行に配置し、両回路基板をフレキシブルリードによって互いに連結した２層基板構造を採用することにより、部品の実装面積を増大させることが行なわれている。
【特許文献１】特開２００３−２６４３５３号公報［H05K1/14］
【発明の開示】
【発明が解決しようとする課題】
【０００４】
しかしながら、上述の２層基板構造を有する携帯電話機においても、近年の部品点数の増大によって大型化を余儀なくされており、小型のキャビネット内で更に実装面積の増大を図ることが可能な基板構造が要求されている。
そこで本発明の目的は、従来の電子機器における２層基板構造よりも実装面積の拡大を図ることが出来る基板構造を提供することである。
【課題を解決するための手段】
【０００５】
本発明に係る電子機器において、キャビネットの内部に配備された回路基板は、互いに離間した複数の基板部とこれらの基板部を互いに連結する１或いは複数のフレキシブルリード部とを具えた複合基板によって構成され、フレキシブルリード部を折り曲げることによって２つの基板部が互いに９０度若しくは略９０度の角度を為して配置されている。
【０００６】
従来の２層基板構造においては、上下に配置された２枚の基板によって挟まれた中間の空間は、実装面積に寄与していないが、上記本発明の電子機器の基板構造においては、フレキシブルリード部を折り曲げることによって２つの基板部が互いに９０度の角度を為して配置されているので、例えば前記２つの基板部の内、一方の基板部を扁平なキャビネットの表面に沿って配置すると共に、他方の基板部を該キャビネットの厚さ方向に沿って配置することにより、該他方の基板部が新たに実装面積に寄与することとなり、全体として従来よりも実装面積が増大する。
【０００７】
具体的構成において、キャビネットの内部には、少なくとも１つの部品を搭載したホルダーが設置され、前記複合基板を構成する複数の基板部の内、少なくとも前記２つの基板部は、前記ホルダーの互いに直交する２つの壁面に添設されている。
該具体的構成においては、複合基板をホルダーに巻き付けることによって前記２つの基板部の姿勢が決定される。
【０００８】
更に具体的な構成において、前記１つの部品はカメラであって、該カメラの光軸方向に対して垂直に１或いは複数の基板部が設置されると共に、該カメラの光軸と平行に１或いは複数の基板部が設置されている。
該具体的構成によれば、画素数の増大に伴ってカメラが大型化したとしても、該カメラの光軸方向の高さに応じて、該光軸と平行な１或いは複数の基板部を前記高さ方向に拡大することにより、該基板部の実装面積を増大させて、キャビネット内の部品集積度を上げることが出来る。
【発明の効果】
【０００９】
本発明に係る電子機器の基板構造によれば、従来の電子機器における２層基板構造よりも実装面積の拡大を図ることが出来る。
【発明を実施するための最良の形態】
【００１０】
以下、本発明を折り畳み式携帯電話機に実施した形態につき、図面に沿って具体的に説明する。
本発明に係る折り畳み式携帯電話機は、図１に示す如く、本体キャビネット(１)と蓋体キャビネット(２)をヒンジ機構(３)によって互いに開閉可能に連結して構成される。
【００１１】
図２に示す如く、蓋体キャビネット(２)の表面には、表示窓(23)とカメラ窓(20)が設けられ、表示窓(23)の奥部には液晶ディスプレイ(41)が設置されると共に、カメラ窓(20)の奥部にはカメラ(51)が設置されている。
本体キャビネット(１)の内部にはメイン基板(11)が配備されている。
【００１２】
蓋体キャビネット(２)は、図３に示す如く、内面側キャビネット半体(21)と背面側キャビネット半体(22)を接合して構成され、両キャビネット半体(21)(22)の間には、液晶ディスプレイ(41)を具えたディスプレイモジュール(４)と、カメラ(51)を具えたカメラ搭載基板モジュール(５)とが配備される。
カメラ搭載基板モジュール(５)は、ディスプレイモジュール(４)と電気接続されると共に、前記本体キャビネット(１)内のメイン基板(11)と電気接続される。
【００１３】
カメラ搭載基板モジュール(５)は、カメラ(51)を搭載したホルダー(７)に複合基板(６)を巻き付けて構成される。
複合基板(６)は、図８に示す如く、第１基板部(61)、第２基板部(62)、第３基板部(63)、第４基板部(64)、第５基板部(65)、第６基板部(66)、第７基板部(67)、第８基板部(68)、第９基板部(69)及び第１０基板部(60)を具え、これら複数の基板部を、第１フレキシブルリード部(71a)(71b)、第２フレキシブルリード部(72)、第３フレキシブルリード部(73)、第４フレキシブルリード部(74)、フレキシブル連結部(75)、第５フレキシブルリード部(76)、第６フレキシブルリード部(77)、第７フレキシブルリード部(78)及び第８フレキシブルリード部(79)によっ  て互いに連結したものである。
【００１４】
第７基板部(67)及び第８基板部(68)には、前記ディスプレイモジュール(４)と接続するためのコネクター(図示省略)が搭載されている。又、第１０基板部(60)には、前記本体キャビネット(１)のメイン基板(11)と接続するためのコネクター(70)が搭載されている。更に他の基板部には、ディスプレイモジュール(４)とメイン基板(11)の間の通信やカメラ(51)の制御等に必要な各種の電子部品が搭載されている。
【００１５】
図５に示す如く、蓋体キャビネット(２)の右側面には、カメラ(51)を通常撮影モードと接写モードの間で切り替える際に操作すべきスライド操作片(52)が摺動可能に取り付けられている。
又、図６に示す如く、カメラ搭載基板モジュール(５)のホルダー(７)には、スライド部材(53)がスライド可能に配備され、右方の端部がスライド操作片(52)と連結されている。該スライド部材(53)の左方の端部は、カメラ(51)を通常撮影モードと接写モードの間で切り替えるためのレバー(50)に係合すると共に、モード切り替えを検知するためのスイッチ(54)に係合している。従って、図７の如くスライド操作片(52)を一方向へ操作することによって、カメラ(51)が通常撮影モードから接写モードに切り替えられ、接写モードが設定されたことがディスプレイに表示される。
【００１６】
カメラ搭載基板モジュール(５)の組立工程においては、先ず図９の如く、複合基板(６)の第１０基板部(60)に繋がる２枚の第１フレキシブルリード部(71a)(71b)を互いに重ね合わせ、図１０の如く１本の第１フレキシブルリード部(71)とする。次に、該第１フレキシブルリード部(71)を図１１の如く第６フレキシブルリード部(77)側へ折り曲げる。
【００１７】
次に、図１２に示す如く第５基板部(65)上にホルダー(７)を取り付け、更に図１３に示す如くホルダー(７)にカメラ(51)を取り付ける。そして、図１４に示す如くホルダー(７)に、スライド操作片(52)が固定されたスライド部材(53)を係合させる。
【００１８】
続いて、図１５に示す如く、第１基板部(61)をホルダー(７)の垂直壁に沿って９０度折り曲げると共に、第２基板部(62)〜第９基板部(69)を１８０度折り返し、図１６の如くホルダー(７)の上面に第２基板部(62)及び第３基板部(63)を設置する。これによって、図１５に示す第３基板部(63)上のスイッチ(54)がホルダー(７)上のスライド部材(53)の左方端部と係合することになる。
【００１９】
更に、図１６に示す第４基板部(64)を１８０度折り返すと共に、第６フレキシブルリード部(77)を９０度折り曲げて図１７の如くホルダー(７)の垂直壁に添接せしめる。この結果、ホルダー(７)の周囲に複合基板(６)が巻き付けられたカメラ搭載基板モジュール(５)の組立が完了する。
その後、該カメラ搭載基板モジュール(５)を図３に示すディスプレイモジュール(４)に連結し、これらを内面側キャビネット半体(21)と背面側キャビネット半体(22)の間に挟んで蓋体キャビネット(２)を組み立てる。
【００２０】
この様にして組み立てられた蓋体キャビネット(２)においては、図４に示す如く、複合基板(６)を構成する第１基板部(61)がカメラ(51)の光軸方向に沿って垂直に立設されているので、画素数の増大に伴ってカメラ(51)が大型化したとしても、第１基板部(61)をカメラ(51)の高さ方向に拡大することにより、第１基板部(61)の実装面積を増大させて、蓋体キャビネット(２)内の部品集積度を上げることが出来る。
【００２１】
上述の如く本発明に係る折り畳み式携帯電話機においては、複合基板(６)の第２〜第５基板部(62)(63)(64)(65)がホルダー(７)の上面及び下面に沿って水平姿勢に設置されると共に、第１基板部(61)がホルダー(７)の側壁に沿って垂直姿勢に設置され、該第１基板部(61)によってカメラ(51)の高さ方向にも実装面積が拡大されているので、従来よりも全体として実装面積が増大し、数多くの電子部品を搭載することが出来る。
【図面の簡単な説明】
【００２２】
【図１】本発明に係る折り畳み式携帯電話機の斜視図である。
【図２】該折り畳み式携帯電話機の断面図である。
【図３】蓋体キャビネット、ディスプレイモジュール及びカメラ搭載基板モジュールの分解斜視図である。
【図４】本発明に係る折り畳み式携帯電話機の要部を示す拡大断面図である。
【図５】カメラ搭載基板モジュールの拡大平面図である。
【図６】通常撮影モード設定時の構造を示す拡大平面図である。
【図７】接写モード設定時の構造を示す拡大平面図である。
【図８】複合基板の展開状態を示す平面図である。
【図９】カメラ搭載基板モジュールの組立工程の第１ステップを示す斜視図である。
【図１０】同上工程の第２ステップを示す斜視図である。
【図１１】同上工程の第３ステップを示す斜視図である。
【図１２】同上工程の第４ステップを示す斜視図である。
【図１３】同上工程の第５ステップを示す斜視図である。
【図１４】同上工程の第６ステップを示す斜視図である。
【図１５】同上工程の第７ステップを示す斜視図である。
【図１６】同上工程の第８ステップを示す斜視図である。
【図１７】同上工程の第９ステップを示す斜視図である。
【符号の説明】
【００２３】
(１)  本体キャビネット
(２)  蓋体キャビネット
(３)  ヒンジ機構
(４)  ディスプレイモジュール
(５)  カメラ搭載基板モジュール
(51)  カメラ
(６)  複合基板
(61)  第１基板部
(７)  ホルダー
【図１】
2005244062.tif 000003
【図２】
2005244062.tif 000004
【図３】
2005244062.tif 000005
【図４】
2005244062.tif 000006
【図５】
2005244062.tif 000007
【図６】
2005244062.tif 000008
【図７】
2005244062.tif 000009
【図８】
2005244062.tif 000010
【図９】
2005244062.tif 000011
【図１０】
2005244062.tif 000012
【図１１】
2005244062.tif 000013
【図１２】
2005244062.tif 000014
【図１３】
2005244062.tif 000015
【図１４】
2005244062.tif 000016
【図１５】
2005244062.tif 000017
【図１６】
2005244062.tif 000018
【図１７】
2005244062.tif 000019